(57)【要約】【課題】車両の前後方向においてコンパクトに設置できるパネル開閉装置を提供すること。【解決手段】パネル開閉装置１００は、ユーザの操作により回転軸２０を中心に回転するダイヤル部２と、コンバイナ３を支持して回転軸４０を中心に回転する支持部４と、ダイヤル部２の溝２３に挿入されるピン５１と、支持部４の溝４３に挿入されるピン５２とを有し、水平移動する可動部５と、を備える。ダイヤル部２の回転時に、可動部５が水平移動し、かつ、支持部４が回転することで、コンバイナ３は、格納状態、起立状態、または、角度調整状態となる。【選択図】図２
2016210266.tif 000002
【特許請求の範囲】
【請求項１】
パネルを固定して支持し、第１の回転軸を中心に回転する支持部と、
第２の回転軸を中心に回転し、前記第２の回転軸との距離が変化する溝を有するダイヤル部と、
前記ダイヤル部の回転に伴って直線運動を行い、前記ダイヤル部の溝に挿入される第１の突起部と、前記直線運動に伴って前記支持部を回転させる回転駆動部とを有する可動部と、
前記支持部、前記ダイヤル部、前記可動部を収容する筐体と、を備える、
パネル開閉装置。
【請求項２】
前記可動部は、前記直線運動の方向に沿った溝を有し、
前記可動部の溝には、前記筐体に設けられた第２の突起部が挿入される、
請求項１記載のパネル開閉装置。
【請求項３】
前記ダイヤル部は、
前記パネルが前記筐体に収納された収納状態から前記パネルが起立した起立状態にする操作が行われる第１の操作領域と、
前記起立状態から前記パネルの傾きの調整が可能となる角度調整状態にする操作が行われる第２の操作領域と、を有し、
前記ダイヤル部の溝には、
前記第１の操作領域が操作された場合に前記第１の突起部が摺動する第１の溝領域と、
前記第１の溝領域と連結され、前記第２の操作領域が操作された場合に前記第１の突起部が摺動する第２の溝領域と、が形成され、
前記第２の回転軸から前記第１の溝領域までの距離は、前記第２の回転軸から前記第２の溝領域までの距離よりも長い、
請求項１記載のパネル開閉装置。
【請求項４】
前記ダイヤル部の溝には、
前記第１の溝領域と前記第２の溝領域との境界に、凹部、または、凹部および凸部が形成される、
請求項３記載のパネル開閉装置。
【請求項５】
前記ダイヤル部の溝には、
前記第２の領域に、複数の凹部が形成される、
請求項３記載のパネル開閉装置。
【請求項６】
前記第１の操作領域の表面の形状は、
前記第２の操作領域の表面の形状と異なる、
請求項３記載のパネル開閉装置。
【請求項７】
前記支持部は、
前記パネルが起立状態から格納状態になるときの前記支持部の回転方向に作用するバネを有し、
前記バネの力は、
前記パネルが前記起立状態から角度調整状態までのときに最大となる、
請求項１記載のパネル開閉装置。
【請求項８】
前記ダイヤル部は、
前記パネルよりもユーザに近い位置に設けられる、
請求項１記載のパネル開閉装置。
【発明の詳細な説明】
【技術分野】
【０００１】
本開示は、パネルの開閉を行うパネル開閉装置に関する。
【背景技術】
【０００２】
従来、自動車などの車両に搭載されるヘッドアップディスプレイが知られている。また、ヘッドアップディスプレイの一例として、パネル（例えば、コンバイナ、モニタ等）に情報を表示することで、運転者を支援するものが知られている。パネルは運転者の前方に起立して配置されるが、運転者がパネルを使用しない場合、例えば、起立したパネルが運転者の前方の視界に入り、運転の邪魔になるという問題がある。
【０００３】
このような問題を解決する技術として、例えば特許文献１には、モニタを使用しないときにモニタをダッシュボード上に平伏させ、モニタを使用するときにモニタを起立させる機構が開示されている。
【先行技術文献】
【特許文献】
【０００４】
【特許文献１】国際公開第２００３／０１１６４７号
【発明の概要】
【発明が解決しようとする課題】
【０００５】
しかしながら、特許文献１の機構は、部品点数が多く、構造が複雑であるという課題がある。
【０００６】
本開示の目的は、部品点数が少なく、簡単な構造のパネル開閉装置を提供することである。
【課題を解決するための手段】
【０００７】
本開示のパネル開閉装置は、パネルを固定して支持し、第１の回転軸を中心に回転する支持部と、第２の回転軸を中心に回転し、前記第２の回転軸との距離が変化する溝を有するダイヤル部と、前記ダイヤル部の回転に伴って直線運動を行い、前記ダイヤル部の溝に挿入される第１の突起部と、前記直線運動に伴って前記支持部を回転させる回転駆動部とを有する可動部と、前記支持部、前記ダイヤル部、前記可動部を収容する筐体と、を備える構成を採る。
【発明の効果】
【０００８】
本開示によれば、部品点数が少なく、簡単な構造のパネル開閉装置を提供することができる。
【図面の簡単な説明】
【０００９】
【図１】本開示の実施の形態に係るパネル開閉装置（収納状態時）の外観を示す斜視図
【図２】本開示の実施の形態に係るパネル開閉装置（収納状態時）の内部を示す側断面図
【図３】本開示の実施の形態に係るパネル開閉装置（起立状態時）の外観を示す斜視図
【図４】本開示の実施の形態に係るパネル開閉装置（起立状態時）の内部を示す側断面図
【図５】本開示の実施の形態に係るパネル開閉装置（角度調整状態時）の外観を示す斜視図
【図６】本開示の実施の形態に係るパネル開閉装置（角度調整状態時）の内部を示す側断面図
【図７】本開示の実施の形態の変形例１に係るパネル開閉装置の内部を示す側断面図
【図８】本開示の実施の形態の変形例２に係るダイヤル部を示す側面図
【図９】本開示の実施の形態の変形例３に係るダイヤル部を示す側面図
【図１０】本開示の実施の形態の変形例４に係るダイヤル部を示す側面図
【発明を実施するための形態】
【００１０】
以下、本開示の実施の形態について図面を参照しながら説明する。
【００１１】
まず、図１、図２を用いて、本実施の形態のパネル開閉装置１００の構成例について説明する。図１は、パネル開閉装置１００の外観を示す斜視図である。図２は、図１に示したＡ−Ａの断面図である。
【００１２】
図１に示すパネル開閉装置１００は、例えば、車両のインストルメンタルパネル（ダッシュボードともいう）に備えられ、ユーザ（運転者または同乗者）によるダイヤル部２の操作に応じて、コンバイナ３（パネルの一例）を開閉させる装置である。
【００１３】
パネル開閉装置１００によるコンバイナ３の開動作（コンバイナ３を開く動作）または閉動作（コンバイナ３を閉じる動作）により、コンバイナ３は、収納状態、起立状態、角度調整状態のいずれかの状態となる。
【００１４】
収納状態とは、コンバイナ３が平伏し、筐体１に収納された状態である。起立状態とは、コンバイナ３が起立した状態である。角度調整状態とは、コンバイナ３をユーザが所望の角度に調整できる状態である。
【００１５】
コンバイナ３は、開動作により、収納状態から起立状態へ遷移する。また、コンバイナ３は、開動作により、起立状態から角度調整状態へ遷移する。また、コンバイナ３は、閉動作により、角度調整状態から起立状態へ遷移する。また、コンバイナ３は、閉動作により、起立状態から収納状態へ遷移する。なお、図１、図２はともに、コンバイナ３の収納状態を示している。
【００１６】
図１、図２に示すように、パネル開閉装置１００は、筐体１、ダイヤル部２、コンバイナ３、支持部４、可動部５を有する。
【００１７】
筐体１は、ダイヤル部２、コンバイナ３、支持部４、可動部５を収容する。
【００１８】
筐体１の中央部分には、開口部１０が形成されている。開口部１０には、コンバイナ３が収納される。
【００１９】
図１に示すように、筐体１の右方部分には、凹部１１が形成されている。凹部１１には、ダイヤル部２の一部（後述する操作領域）が露出する。筐体１の右方とは、図１において矢印Ｒが示す方向である。
【００２０】
筐体１の下方部分（例えば、上面部Ｆ１よりも下方の部分）は、インストルメンタルパネルに埋め込まれる。その場合、上面部Ｆ１とインストルメンタルパネルの表面とがほぼ水平となることが好ましい。これにより、筐体１が運転者の視界を遮ることがない。
【００２１】
ダイヤル部２は、円盤状の部材であり、図１に示すように筐体１の右方に設けられている。ダイヤル部２は、回転軸２０を有し、その回転軸２０を中心として時計回りの方向（矢印ａの方向）または反時計回りの方向（矢印ｂの方向）に回転する。
【００２２】
ダイヤル部２は、その円周部分に沿って形成された操作領域を有する。操作領域とは、ユーザによりダイヤル２を回転させる操作が行われる領域である。図２の例では、ダイヤル部２は、操作領域Ａ１と操作領域Ａ２を有する。
【００２３】
操作領域Ａ１は、第１の操作または第２の操作が行われる領域である。第１の操作とは、ダイヤル部２を反時計回りの方向へ回転させ、コンバイナ３を収納状態から起立状態へ遷移させる操作である。また、第２の操作とは、ダイヤル部２を時計回りの方向へ回転させ、コンバイナ３を起立状態から収納状態へ遷移させる操作である。
【００２４】
操作領域Ａ２は、第３の操作または第４の操作が行われる領域である。第３の操作とは、ダイヤル部２を反時計回りの方向へ回転させ、コンバイナ３の角度を調整する操作である。また、第４の操作とは、ダイヤル部２を時計回りの方向へ回転させ、コンバイナ３の角度を調整する操作である。
【００２５】
操作領域Ａ１、Ａ２には、操作時にユーザの指などが滑らないようにするために、凸部２１と凹部２２が交互に形成されている。なお、操作時に操作領域Ａ１と操作領域Ａ２の区別をユーザに容易に把握させるために、操作領域Ａ１の形状と操作領域Ａ２の形状が異なってもよい。例えば、操作領域Ａ１の凸部２１を操作領域Ａ２の凸部２１よりも大きく（または、高く）してもよい。これにより、ユーザは、操作領域Ａ１、Ａ２に触れた感覚から、どちらの操作領域を操作しているのか、または、どちらの操作領域を操作可能であるかを容易に把握できる。
【００２６】
また、ダイヤル部２は、ダイヤル部２の回転角度に応じて回転軸２０との距離が変化する溝２３を有する。溝２３には、後述する可動部５のピン５１が挿入される。
【００２７】
溝２３は、溝領域Ｂ１と溝領域Ｂ２を有する。溝領域Ｂ１は、操作領域Ａ１で行われる操作によりダイヤル部２が回転する場合にピン５１が摺動する領域である。溝領域Ｂ２は、操作領域Ａ２で行われる操作によりダイヤル部２が回転する場合にピン５１が摺動する領域である。溝領域Ｂ１と溝領域Ｂ２は、連結している。また、回転軸２０から溝領域Ｂ１までの距離は、回転軸２０から溝領域Ｂ２までの距離よりも長くなっている。
【００２８】
コンバイナ３は、例えばハーフミラーであり、板ガラスと、この板ガラスの一方の面に蒸着された錫または銀などの光半透過膜とで構成されている。コンバイナ３は、半透過性を有しており、ユーザがコンバイナ３を通して車両の前方を目視できるように形成されている。
【００２９】
図２に示したコンバイナ３の投影面Ｆ２には、コンバイナ３が起立状態または角度調整状態のときに、車両に搭載された投影装置（図示略）からの画像が投影される。これにより、ユーザには、コンバイナ３に投影された画像が車両前方の風景に重畳されて見えることになる。この画像は、例えば、車両の速度、燃料の残量などを示す画像、または、目的地までの距離、進行方向、現在地名、現在地付近に存在する施設、店舗の名称などを示す画像などである。
【００３０】
なお、パネル開閉装置１００と投影装置とを合わせて「ヘッドアップディスプレイ装置」と呼んでもよい。
【００３１】
パネル支持部４は、回転軸４０を有し、その回転軸４０を中心として時計回りの方向（矢印ｃの方向）または反時計回りの方向（矢印ｄの方向）に回転する。
【００３２】
また、パネル支持部４は、本体部４１とピン保持部４２を有する。本体部４１は、コンバイナ３を固定して支持する。ピン保持部４１には、溝４３が形成されている。溝４３には、後述する可動部５のピン５２が挿入される。本体部４１とピン保持部４２は、回転軸４０を中心として時計回りの方向または反時計回りの方向に回転する。
【００３３】
可動部５は、板状の部材であり、図１に示すように筐体２の右方に設けられている。可動部５は、矢印ｅの方向または矢印ｆの方向へ水平移動（直線運動の一例）する。なお、矢印ｅの方向は、車両の後方へ向かう方向であり、矢印ｆの方向は、車両の前方へ向かう方向である。
【００３４】
また、可動部５は、ピン５１（突起部の一例）と、ピン５２（回転駆動部の一例）とを有する。ピン５１は、可動部５におけるダイヤル部２側の面に立設かつ固定されており、ダイヤル部２の溝２３に挿入される。ピン５２は、可動部５におけるダイヤル部２側の面の裏面に立設かつ固定されており、ピン保持部４２の溝４３に挿入される。
【００３５】
また、可動部５は、水平移動の方向（矢印ｅ、ｆの方向）に沿った溝５３を有する。溝５３には、筐体１に固定されたピン５４が挿入される。ピン５４は、可動部５が水平移動する際、溝５３内を摺動する。これにより、可動部５は、矢印ｅまたは矢印ｆの方向からずれることなく、水平移動することができる。
【００３６】
本実施の形態では、溝５３を３つとしたが、溝５３の数はこれに限定されない。また、本実施の形態では、１つの溝５３に挿入されるピン５４を３つとしたが、ピン５４の数はこれに限定されない。
【００３７】
以上、パネル開閉装置１００の構成例について説明した。
【００３８】
次に、パネル開閉装置１００の動作例について説明する。以下では、コンバイナ３が収納状態から起立状態へ遷移するときの動作（以下、動作例１という）、コンバイナ３の角度が反時計回りの方向へ調整されるときの動作（以下、動作例２という）、コンバイナ３の角度が時計回りの方向へ調整されるときの動作（以下、動作例３という）、コンバイナ３が起立状態から収納状態へ遷移するときの動作（以下、動作例４という）、のそれぞれについて説明する。
【００３９】
＜動作例１＞
図１〜図４を用いて、動作例１について説明する。上述したとおり、図１には、コンバイナ３が収納状態であるときのパネル開閉装置１００の外観が示されており、図２には、図１に示したＡ−Ａの断面が示されている。また、図３は、コンバイナ３が起立状態であるときのパネル開閉装置１００の外観を示す斜視図である。図４は、図２に示したＢ−Ｂの断面図である。
【００４０】
図１、図２に示すコンバイナ３の収納状態において、ユーザは、凹部１１において露出したダイヤル部２に対して第１の操作を行う。すなわち、ユーザは、ダイヤル部２の操作領域Ａ１を操作し、ダイヤル部２を反時計回りの方向（矢印ｂの方向）へ回転させる。
【００４１】
ダイヤル部２が反時計回りの方向へ回転すると、溝２３の溝領域Ｂ１の端部にあるピン５１は、矢印ｅの方向へ水平移動する。これと同時に、可動部５およびピン５２も矢印ｅの方向へ水平移動する。このとき、ピン５４が水平移動の方向（矢印ｅの方向）に沿って形成された溝５３を摺動するため、ピン５１およびピン５２が矢印ｅの方向からずれて移動することがない。
【００４２】
ピン５２が矢印ｅの方向へ水平移動すると、ピン保持部４２および本体部４１は、反時計回りの方向（矢印ｄの方向）へ回転する。これにより、本体部４１に固定されたコンバイナ３が、反時計回りの方向（矢印ｄの方向）へ回転し、図３、図４に示す起立状態となる。この起立状態において、ユーザは、投影面Ｆ２に投影された画像を視認することができる。コンバイナ３が収納状態から起立状態となるまでに回転する角度は、例えば７０度である。このコンバイナ３の回転角度は、ユーザがダイヤル部２を回転させる角度より大きいことが好ましい。これにより、より少ない操作で素早くコンバイナ３を起立状態にすることが可能となり、ユーザの利便性を向上させることができる。
【００４３】
＜動作例２＞
図３〜図６を用いて、動作例２について説明する。図５は、コンバイナ３が角度調整状態であるときのパネル開閉装置１００の外観を示す斜視図である。図６は、図５に示したＣ−Ｃの断面図である。
【００４４】
図３、図４に示すコンバイナ３の起立状態において、ユーザは、コンバイナ３を反時計回りの方向へ回転させて所望の角度に調整したい場合、凹部１１において露出したダイヤル部２に対して第３の操作を行う。すなわち、ユーザは、ダイヤル部２の操作領域Ａ２を操作し、ダイヤル部２を反時計回りの方向（矢印ｂの方向）へ回転させる。これにより、コンバイナ３は、図５、図６に示す角度調整状態となる。
【００４５】
ダイヤル部２が反時計回りの方向へ回転すると、溝２３の溝領域Ｂ１の端部にあるピン５１は、矢印ｅの方向へ水平移動する。これと同時に、可動部５およびピン５２も矢印ｅの方向へ水平移動する。
【００４６】
ピン５２が矢印ｅの方向へ水平移動すると、ピン保持部４２および本体部４１は、反時計回りの方向（矢印ｄの方向）へ回転する。これにより、本体部４１に固定されたコンバイナ３が、反時計回りの方向（矢印ｄの方向）へ回転する。そして、コンバイナ３が所望の角度となった時点でユーザが第３の操作を終了すると、コンバイナ３は、ユーザにより指定された角度に保持される。起立状態からの矢印ｄの方向へ回転可能な角度は、例えば、１２度である。よって、ユーザは、７０度〜８２度の範囲内でコンバイナ３を所望の角度に調整できる。
【００４７】
＜動作例３＞
図３〜図６を用いて、動作例３について説明する。
【００４８】
図５、図６に示すコンバイナ３の角度調整状態において、ユーザは、コンバイナ３を時計回りの方向へ回転させて所望の角度に調整したい場合、凹部１１において露出したダイヤル部２に対して第４の操作を行う。すなわち、ユーザは、ダイヤル部２の操作領域Ａ２を操作し、ダイヤル部２を時計回りの方向（矢印ａの方向）へ回転させる。
【００４９】
ダイヤル部２が時計回りの方向へ回転すると、溝２３の溝領域Ｂ１の端部にあるピン５１は、矢印ｆの方向へ水平移動する。これと同時に、可動部５およびピン５２も矢印ｆの方向へ水平移動する。このとき、ピン５４が水平移動の方向（矢印ｆの方向）に沿って形成された溝５３を摺動するため、ピン５１およびピン５２が矢印ｆの方向からずれて移動することがない。
【００５０】
ピン５２が矢印ｆの方向へ水平移動すると、ピン保持部４２および本体部４１は、時計回りの方向（矢印ｃの方向）へ回転する。これにより、本体部４１に固定されたコンバイナ３が、時計回りの方向（矢印ｃの方向）へ回転する。そして、コンバイナ３が所望の角度となった時点でユーザが第４の操作を終了すると、コンバイナ３は、ユーザにより指定された角度に保持される。反時計回りの方向へ最大限回転した状態からの矢印ｃの方向へ回転可能な角度は、例えば、１２度である。よって、ユーザは、８２度〜７０度の範囲内でコンバイナ３を所望の角度に調整できる。
【００５１】
また、図５、図６に示すコンバイナ３の角度調整状態において、ユーザは、コンバイナ３を時計回りの方向へ倒して起立状態に戻したい場合、凹部１１において露出したダイヤル部２に対して第４の操作を行う。この場合も、パネル開閉装置１００において上述した動作例３が行われる。その結果、コンバイナ３は、角度調整状態から起立状態へ遷移する。
【００５２】
＜動作例４＞
図１〜図４を用いて、動作例４について説明する。
【００５３】
図３、図４に示すコンバイナ３の起立状態において、ユーザは、凹部１１において露出したダイヤル部２に対して第２の操作を行う。すなわち、ユーザは、ダイヤル部２の操作領域Ａ１を操作し、ダイヤル部２を時計回りの方向（矢印ａの方向）へ回転させる。
【００５４】
ダイヤル部２が時計回りの方向へ回転すると、溝２３の溝領域Ｂ１の端部にあるピン５１は、矢印ｆの方向へ水平移動する。同時に、可動部５およびピン５２も矢印ｆの方向へ水平移動する。
【００５５】
ピン５２が矢印ｆの方向へ水平移動すると、ピン保持部４２および本体部４１は、時計回りの方向（矢印ｃの方向）へ回転する。これにより、本体部４１に固定されたコンバイナ３が、時計回りの方向へ回転し、図１、図２に示す格納状態となる。
【００５６】
以上、パネル開閉装置１００の動作例について説明した。
【００５７】
このようにパネル開閉装置１００によれば、部品点数が少なく、かつ、簡単な構造により、コンバイナ３の格納状態、起立状態、角度調整状態を切り替えることができる。よって、パネル開閉装置１００の製作コストを低減できる。
【００５８】
また、パネル開閉装置１００によれば、ユーザの操作により回転するダイヤル部２の回転時に、可動部５が水平移動し、かつ、コンバイナ３を支持した支持部４が回転する。これにより、可動部５の水平移動の方向（換言すれば、車両の前後方向）の移動量を少なくして、コンバイナ３の格納状態、起立状態、角度調整状態を切り替えることができる。よって、本実施の形態では、パネル開閉装置１００を車両の前後方向にコンパクトに設置できる。
【００５９】
また、パネル開閉装置１００によれば、より少ないダイヤル部２の回転量で、コンバイナ３を起立状態にすることができ、または、より大きいダイヤル部２の回転量で、コンバイナ３の角度を調整することができる。
【００６０】
（実施の形態の変形例）
なお、本開示のパネル開閉装置は、上記実施の形態に限定されない。以下、上記実施の形態の変形例について説明する。
【００６１】
＜変形例１＞
図７に示すように、支持部４は、本体部４１にバネ４４を有してもよい。バネ４４は、支持部４の時計回りの方向（矢印ｃの方向）に作用する。これにより、格納状態のコンバイナ３は、自重に加えて、バネ４４の作用により、時計回りの方向へ押し付けられる。よって、振動などによるがたつきを抑えることができる。また、バネ４４の力は、コンバイナ３が起立状態から角度調整状態までのときに最大となることが好ましい。これにより、コンバイナ３に表示された画像のぶれを抑えることができ、ユーザが画像を視認しやすくなる。
【００６２】
＜変形例２＞
図８Ａに示すように、ダイヤル部２の溝２３には、溝領域Ｂ１と溝領域Ｂ２との境界に、凹部２４が形成されてもよい。ダイヤル部２が反時計回りまたは時計回りに回転する場合、ピン５１の一部は、凹部２４に嵌合する。これにより、ユーザは、クリック感を得ることができ、コンバイナ３が起立状態になったことを容易に認識できる。
【００６３】
または、図８Ｂに示すように、ダイヤル部２の溝２３には、溝領域Ｂ１と溝領域Ｂ２との境界に、凸部２５ａおよび凹部２５ｂが形成されてもよい。ダイヤル部２が反時計回りまたは時計回りに回転する場合、ピン５１の一部は、凹部２５ａと凸部２５ｂの間に嵌合する。これにより、ユーザは、クリック感を得ることができ、コンバイナ３が起立状態になったことを容易に認識できる。
【００６４】
または、図８Ｃに示すように、ダイヤル部２の溝２３には、溝領域Ｂ１と溝領域Ｂ２との境界に、凹部２６ａおよび凸部２６ｂが形成されてもよい。ダイヤル部２が反時計回りまたは時計回りに回転する場合、ピン５１の一部は、凹部２６ａと凸部２６ｂの間に嵌合する。これにより、ユーザは、クリック感を得ることができ、コンバイナ３が起立状態になったことを容易に認識できる。
【００６５】
＜変形例３＞
実施の形態では、例えば図２に示したように、ダイヤル部２の溝２３において、溝領域Ｂ１と溝領域Ｂ２とを滑らかな曲線で連結したが、これに限定されない。例えば、図９に示すように、ダイヤル部２の溝２３において、溝領域Ｂ１と溝領域Ｂ２との境界は、滑らかな曲線でなくてもよい。これにより、ダイヤル部２の回転時に溝領域Ｂ１と溝領域Ｂ２との境界にピン５１が位置したとき、ユーザは、クリック感を得ることができ、コンバイナ３が起立状態になったことを容易に認識できる。
【００６６】
＜変形例４＞
図１０に示すように、ダイヤル部２の溝２３には、溝領域Ｂ２に複数の凹部２７と複数の凸部２８が形成されてもよい。１つ凹部２７と１つの凸部２８は、一組となっている。一組の凹部２７と凸部２８は、調整可能なコンバイナ３の角度ごとに設けられている。ダイヤル部２が回転する度に、ピン５１の一部は、凹部２７と凸部２８の間に嵌合する。これにより、ユーザは、クリック感を得ることができ、コンバイナ３が角度調整状態であることを容易に認識できる。また、ユーザは、コンバイナ３の角度を容易に調整できる。なお、図１０では、一組の凹部２７と凸部２８は、隣接して形成されているが、所定の間隔を空けて形成されてもよい。
【００６７】
＜変形例５＞
ダイヤル部２は、ユーザが操作しやすいように、コンバイナ３よりもユーザに近い位置に設けられることが好ましい。例えば、ダイヤル部２のみを筐体１から離れてユーザの手元に配置するようにしてもよい。これにより、ユーザがダイヤル部２を容易に操作できるようになる。
【００６８】
＜変形例６＞
車両の左右方向においてインストルメンタルパネルに高低差がある場合、パネル開閉装置１００は、インストルメンタルパネルの低い側にダイヤル部が位置するように設けられてもよい。ダイヤル部２は、ユーザが操作するため、露出している必要がある。そのため、インストルメンタルパネルの低い側にダイヤル部を配置することで、ダイヤル部２を小さくでき、パネル開閉装置１００を小型化できる。
【００６９】
＜変形例７＞
実施の形態では、図１に示したようにダイヤル部２、支持部４、および可動部５を筐体１の右方部分に設けたが、これに限定されない。例えば、ダイヤル部２、支持部４、および可動部５は、筐体１の左方部分に設けられてもよい。
【００７０】
＜変形例８＞
パネルは、コンバイナ３に限定されず、例えば、液晶パネル、ミラー、蓋、または、その他の部材などであってもよい。
【００７１】
＜変形例９＞
コンバイナ３の開閉動作は、手動でダイヤル部２を回転させる操作によらず、電動モータの動力によって行われてもよい。例えば、ダイヤル部２の回転軸２０に電動モータの回転軸を接続し、電動モータを駆動させることで、ダイヤル部２を回転させてもよい。これにより、ユーザは、電動モータの駆動を指示する操作を行うことで、コンバイナ３の格納状態、起立状態、角度調整状態を切り替えることができる。
【産業上の利用可能性】
【００７２】
本開示は、パネルの開閉を行うパネル開閉装置に利用可能である。
【符号の説明】
【００７３】
１  筐体
２  ダイヤル部
３  コンバイナ
４  支持部
５  可動部
１０  開口部
１１、２２、２４、２５ｂ、２６ａ、２７  凹部
２０、４０  回転軸
２１、２５ａ、２６ｂ、２８  凸部
２３、４３、５３  溝
４１  本体部
４２  ピン保持部
４４  バネ
５１、５２、５４  ピン
１００  パネル開閉装置
【図１】
2016210266.tif 000003
【図２】
2016210266.tif 000004
【図３】
2016210266.tif 000005
【図４】
2016210266.tif 000006
【図５】
2016210266.tif 000007
【図６】
2016210266.tif 000008
【図７】
2016210266.tif 000009
【図８】
2016210266.tif 000010
【図９】
2016210266.tif 000011
【図１０】
2016210266.tif 000012